(57)【要約】【課題】吸液性向上、プライ剥がれ防止、意匠性向上等の効果を奏する他、使用者に有益な情報を提供することができる衛生用紙束を提供する。【解決手段】複数枚の原紙２ａ，２ｂが積層されて１組のプライ４が構成され、プライ４が更に複数組積層されてなり、プライ４には、エンボス加工８が施され、エンボス加工８によって、１組以上のプライ４に、文字、図形、記号のうちの少なくとも１種からなるマーク１０が付され、マーク１０によって、情報が提示されている衛生用紙束１Ａ。【選択図】図１Ａ
2009226031.tif 000002
【特許請求の範囲】
【請求項１】
複数枚の原紙が積層されて１組のプライが構成され、前記プライが更に複数組積層されてなり、
前記プライには、エンボス加工が施され、
前記エンボス加工によって、１組以上のプライに、文字、図形、記号のうちの少なくとも１種からなるマークが付され、
前記マークによって、情報が提示されている衛生用紙束。
【請求項２】
前記マークの種類が異なる２種以上のプライを備え、
異なる種類のプライが、順次取り出されるように、複数組のプライが積層されることによって、衛生用紙束全体として連続性を有する情報が提示されている請求項１に記載の衛生用紙束。
【請求項３】
前記マークの種類が異なる２種以上のプライを備え、
異なる種類のプライが、一定の組数おきに順次取り出されるように、複数組のプライが積層されることによって、衛生用紙束全体として連続性を有する情報が提示されている請求項１に記載の衛生用紙束。
【請求項４】
前記マークの種類が異なる２種以上のプライを備え、
同種のマークが付されたプライが複数組積層されたブロックが複数形成され、
異なる種類のプライが、前記ブロックごとに順次取り出されるように、複数組のプライが積層されることによって、衛生用紙束全体として連続性を有する情報が提示されている請求項１に記載の衛生用紙束。
【請求項５】
前記マークによって、プライの取り出し数又は残数を示す情報が提示されている請求項１〜４のいずれか一項に記載の衛生用紙束。
【発明の詳細な説明】
【技術分野】
【０００１】
本発明は、家庭用衛生用紙が積層された衛生用紙束に関するものである。より具体的には、複数枚の原紙が積層されて１組のプライが構成され、そのプライが複数組積層されてなる衛生用紙束に関するものである。
【背景技術】
【０００２】
ティシュペーパー、トイレットペーパー、キッチンペーパー等の衛生用紙は、原紙１枚で構成されることは稀であり、複数枚の原紙が積層されて１組のプライが構成されることが一般的である。そして、これらの衛生用紙の中には、プライが更に複数組積層されてなる衛生用紙束の状態でフィルムやカートンに封入されて市販されるものもある。
【０００３】
ところで、これらの衛生用紙においては、凹凸の形成による吸液性向上を目的として、或いはプライを構成する原紙同士を噛み合わせてプライ剥がれを防止する目的で、エンボス加工を施すことが行われている（例えば、特許文献１〜４参照）。
【０００４】
また、意匠性を向上させる目的で、エンボス加工によって模様を施した衛生用紙も提案されている（例えば、特許文献５〜８参照）。
【０００５】
【特許文献１】特開２００２−１７６０７号公報
【特許文献２】特開２００３−１８０５５０号公報
【特許文献３】特開２００３−２７６９４９号公報
【特許文献４】特開２００６−２７１４５８号公報
【特許文献５】特開２００４−１３００５３号公報
【特許文献６】特開２００６−５２７６３８号公報
【特許文献７】特開２００７−６８５７７号公報
【特許文献８】特開２００７−７５５１０号公報
【発明の開示】
【発明が解決しようとする課題】
【０００６】
しかしながら、これらの衛生用紙は、機能面、デザイン面で優れているものの、使用者にとって有用な情報を提供し得るものではなかった。
【０００７】
本発明は、このような従来技術の有する課題に鑑みてなされたものであり、吸液性向上、プライ剥がれ防止、意匠性向上等の効果を奏する他、使用者に有益な情報を提示することができる衛生用紙束を提供するものである。
【課題を解決するための手段】
【０００８】
本発明者は上記課題を解決するために鋭意検討した結果、エンボス加工によって、機能上の凹凸や装飾的な模様を付すのみならず、情報を提示することによって、上記課題を解決可能であることを見出し、本発明を完成するに至った。即ち、本発明によれば、以下に示す衛生用紙束が提供される。
【０００９】
［１］  複数枚の原紙が積層されて１組のプライが構成され、前記プライが更に複数組積層されてなり、前記プライには、エンボス加工が施され、前記エンボス加工によって、１組以上のプライに、文字、図形、記号のうちの少なくとも１種からなるマークが付され、前記マークによって、情報が提示されている衛生用紙束。
【００１０】
［２］  前記マークの種類が異なる２種以上のプライを備え、異なる種類のプライが、順次取り出されるように、複数組のプライが積層されることによって、衛生用紙束全体として連続性を有する情報が提示されている前記［１］に記載の衛生用紙束。
【００１１】
［３］  前記マークの種類が異なる２種以上のプライを備え、異なる種類のプライが、一定の組数おきに順次取り出されるように、複数組のプライが積層されることによって、衛生用紙束全体として連続性を有する情報が提示されている前記［１］に記載の衛生用紙束。
【００１２】
［４］  前記マークの種類が異なる２種以上のプライを備え、同種のマークが付されたプライが複数組積層されたブロックが複数形成され、異なる種類のプライが、前記ブロックごとに順次取り出されるように、複数組のプライが積層されることによって、衛生用紙束全体として連続性を有する情報が提示されている前記［１］に記載の衛生用紙束。
【００１３】
［５］  前記マークによって、プライの取り出し数又は残数を示す情報が提示されている前記［１］〜［４］のいずれかに記載の衛生用紙束。
【発明の効果】
【００１４】
本発明の衛生用紙束は、吸液性向上、プライ剥がれ防止、意匠性向上等の効果を奏する他、使用者に有益な情報を提示することができる。
【発明を実施するための最良の形態】
【００１５】
以下、本発明の衛生用紙束を実施するための最良の形態について図面を参照しながら具体的に説明する。但し、本発明はその発明特定事項を備える衛生用紙束を広く包含するものであり、以下の実施形態に限定されるものではない。
【００１６】
［１］衛生用紙束：
本発明の衛生用紙束は、図１Ａに示す衛生用紙束１Ａのように、複数枚の原紙２ａ，２ｂが積層されて１組のプライ４が構成され、プライ４が更に複数組積層されてなる衛生用紙束である。そして、プライ４には、エンボス加工８が施され、エンボス加工８によって、１組以上のプライ４に、文字、図形、記号のうちの少なくとも１種からなるマーク１０が付され、マーク１０によって、情報が提示されている点に特徴がある。
【００１７】
このような構成によれば、単に機能性や意匠性に優れるのみならず、使用者にとって有益な情報を提供することができる。従って、使用者の興味を惹き、購買意欲をそそることができる。
【００１８】
また、ティシュペーパーを折り板式加工機（多連機）によって製造する場合等には、各プライのプライボンディングを行うためのエンボスロールが設置されていることが多い。従って、そのエンボスロールに情報を彫刻しておくことにより、全てのプライに異なる情報を付与することも容易である。更に、エンボスロールに情報を彫刻するだけで情報を付与できるので、印刷等の方法で情報を付与するよりも簡素な設備で実施することができる。
【００１９】
本発明の衛生用紙束は、図１Ｂ及び図１Ｃに示すプライ４のように、複数枚の原紙２ａ，２ｂが積層されて１組のプライ４が構成されている。
【００２０】
「プライ」とは、原紙が複数枚積層された積層体を意味する。図１Ｃには、２枚の原紙２ａ，２ｂが積層されている例を示したが、３枚以上の原紙が積層されているものも本発明に言う「プライ」に含まれる。
【００２１】
「原紙」としては、坪量６〜２８ｇ／ｍ２に抄紙されたティシュペーパー原紙等を好適に用いることができる。プライの組数は特に制限されないが、カートン入りティシュの場合、１４０〜２４０組とすることが一般的である。
【００２２】
本発明の衛生用紙束は、１組以上のプライにエンボス加工が施されている。「エンボス加工」とは、１対のロール間に対象物を挟み込み、ロール表面に彫刻された模様を型押しし、対象物に模様を転写する加工方法である。
【００２３】
本発明の衛生用紙束においては、エンボス加工の種類は特に限定されず、従来公知のエンボス加工を利用することができる。例えば、マッチドスチールエンボス、ラバースチールエンボス、ネステッド、ポイント・トゥー・ポイント、ピン・トゥー・ピン、ピン・トゥー・フラット等の方法を利用することができる。中でも、ピン・トゥー・フラットは、マッチドスチールやピン・トゥー・ピンと比較して、プライの穴開き、破れ、折れ等の問題が発生し難く、製品の美観を損ねることが少ないという利点があるため、本発明の衛生用紙束の製造に好適に用いることができる。また、製造装置の噛み合わせ調整が不要であるため、装置操作が容易である点においても好ましい。
【００２４】
本発明の衛生用紙束は、プライを構成する全ての原紙を積層した状態でエンボス加工を施すことが好ましい。これにより、プライに情報を付与するとともに、プライボンディングの効果も得ることができる。
【００２５】
衛生用紙の製造装置には、積層された原紙同士が相互に剥がれてしまう不具合（プライ剥がれ）を防止するため、プライボンディング用のエンボスロールが付設されていることが多い。従って、上記のような方法は、別途、印刷機等の設備を設けることなく、プライに対して情報を付与することができる点においても好ましい。
【００２６】
エンボス加工を施す部位について特に制限はない。但し、プライ剥がれを有効に防止し、プライの縁部に強度を持たせるという観点から、図１Ａ及び図２〜図４に示すように、プライの縁部にエンボス加工を施すことが好ましい（エッジエンボス）。
【００２７】
本発明の衛生用紙束においては、エンボス形状、エンボスパターン等は特に限定されず、通常のエッジエンボスに採用されるエンボス形状、エンボスパターンを採用することができる。そのエンボスパターン上に、何らかのマークを併せて彫刻することで、情報の付与と機能性・意匠性の向上が同時に図られる。また、エッジエンボス自体の模様をマークとして機能させ、別途マークを付することなく、情報を提示することもできる。
【００２８】
「情報」の内容としては、例えば、くじ、占い、キャンペーン情報等を挙げることができる。これらの「情報」は、文字、図形、記号の中の少なくとも１種によって表現されていればよい。
【００２９】
「情報」は複数組のプライの１組のみに付されていてもよい。但し、本発明の衛生用紙束は、図１Ａに示す衛生用紙束１Ａのように、マーク１０の種類が異なる２種以上のプライ４を備え、異なる種類のプライ４が、順次取り出されるように、複数組のプライ４が積層されることによって、衛生用紙束１Ａ全体として連続性を有する情報が提示されていることが好ましい。
【００３０】
「連続性を有する情報」としては、ティシュペーパーのプライの取り出し数又は残数等の情報を挙げることができる。このような情報は、カートン入りティシュのように、中の状態が把握できないような場合でも、プライの取り出し数や残数がわかるので、次回購入の目安にもなり使用者にとって便利である。
【００３１】
図１Ａに示す衛生用紙束１Ａは、衛生用紙束１Ａを構成する全てのプライ４に、マーク１０として、種類の異なるマーク１０ａ〜１０ｆが付されている。このマーク１０ａ〜１０ｆは、プライ４の取り出し数を示す数字（５〜１０）である。即ち、付された数字が異なるプライ４が順次取り出されるように、複数組のプライ４が積層されていて、その数字によって、衛生用紙束１Ａ全体として連続性を有する、プライ４の取り出し数に関する情報が提示されるように構成されている。
【００３２】
この例では、文字（数字）による情報の例を示したが、図形や記号によって連続性を有する情報を表してもよい。例えば、残プライ数が徐々に減少していく様子をイメージ的に表現した図形や模様を付することも本発明の範囲に含まれる（例えば、花の模様が付されていて、その花びらの数が徐々に減っていく等）。
【００３３】
なお、図１Ａの衛生用紙束１Ａは、エンボス加工８によって、通常のエッジエンボスと情報を付すためのマーク１０を併せて付した例であるが、マークの形態によっては、通常のエッジエンボスを施すことなく、マークのみでプライボンディングの効果を得ることも可能である。
【００３４】
また、本発明の衛生用紙束は、図２に示す衛生用紙束１Ｂのように、マーク１０の種類が異なる２種以上のプライ４を備え、異なる種類のプライ４が、一定の組数おきに順次取り出されるように、複数組のプライ４が積層されることによって、衛生用紙束１Ｂ全体として連続性を有する情報が提示されているものも好ましい。このように、一定の組数おきに情報を付すことにより、全てのプライに情報を付すよりも更に簡便に必要な情報を付与することができる。
【００３５】
図２に示す衛生用紙束１Ｂは、マーク１０として、種類の異なるマーク１０ｇ，１０ｈが付されている。このマーク１０ｇ，１０ｈは、プライ４の取り出し数を示す数字（５，１０）である。即ち、付された数字が異なるプライ４が５組おきに順次取り出されるように、複数組のプライ４が積層されていて、その数字によって、衛生用紙束１Ｂ全体として連続性を有する、プライ４の取り出し数に関する情報が提示されるように構成されている。
【００３６】
更に、本発明の衛生用紙束は、図３に示す衛生用紙束１Ｃのように、マーク１０の種類が異なる２種以上のプライ４を備え、同種のマーク１０が付されたプライ４が複数組積層されたブロック１２が複数形成され、異なる種類のプライ４が、ブロック１２ごとに順次取り出されるように、複数組のプライ４が積層されることによって、衛生用紙束１Ｃ全体として連続性を有する情報が提示されているものも好ましい。このように、ブロックごとに情報を付すことにより、全てのプライに異なる情報を付すよりも更に簡便に必要な情報を付与することができる。
【００３７】
図３に示す衛生用紙束１Ｃは、２００組のプライが、５０組ずつ４つのブロック１２ａ〜１２ｄに区分されており、ブロック１２ａ〜１２ｃに属するプライ４には、種類の異なるマーク１０ｉ〜１０ｋが付されている。このマーク１０ｉ〜１０ｋは、エンボス加工によって、小径の円形エンボスを直線的に連続配置したものである。マーク１０ｉは３本のライン、マーク１０ｊは２本のライン、マーク１０ｋは１本のラインであり、ラインの数によってプライ４の残数を示唆している。この形態では、付されたライン数が異なるプライ４がブロック１２ごとに順次取り出されるように、複数組のプライ４が積層されていて、そのライン数によって、衛生用紙束１Ｃ全体として連続性を有する、プライ４の残数に関する情報が提示されるように構成されている。
【００３８】
図３に示す衛生用紙束１Ｃは、ラインの数で情報を提示するものであるが、情報提示の方法はライン数以外のものであってもよい。例えば、図４に示す衛生用紙束１Ｄは、小径の円形エンボスを集合配置したマークを用い、そのマークを構成する円形エンボスの数によってプライ４の残数を示唆するものである。
【００３９】
図４に示す衛衛生用紙束１Ｄは、２００組のプライが、５０組ずつ４つのブロック１２ｅ〜１２ｈに区分されており、ブロック１２ｅ〜１２ｇに属するプライ４には、種類の異なるマーク１０ｌ〜１０ｎが付されている。このマーク１０ｌ〜１０ｎは、エンボス加工によって、小径の円形エンボスを三角形状に集合配置したものである。マーク１０ｌは６個の円形エンボス、マーク１０ｍは３個の円形エンボス、マーク１０ｎは１個の円形エンボスからなり、円形エンボスの数によってプライ４の残数を示唆している。この形態では、付された円形エンボス数が異なるプライ４がブロック１２ごとに順次取り出されるように、複数組のプライ４が積層されていて、その円形エンボスの数によって、衛生用紙束１Ｄ全体として連続性を有する、プライ４の残数に関する情報が提示されるように構成されている。
【００４０】
［２］製造方法：
本発明の衛生用紙束は、例えば、折板式加工機等により製造することができる。折板式加工機（「多連機」とも称される。）は、衛生用紙束を構成するプライの組数に応じた長尺プライ供給ロール及び折り板を備えた加工機である。
【００４１】
まず、２系統の長尺原紙を送り出し、これを１対の押圧ロールに挟み込んで加圧することによって長尺プライを形成する。この長尺プライを１対のエンボスロールに供給し、長尺プライに対してエンボス加工を施す。前記エンボスロールには、プライボンディング用のエッジエンボス及び情報を示す文字等と相補的な形状の彫刻を施しておく。
【００４２】
そして、エンボス加工が施された長尺プライを、折板式加工機の長尺プライ供給ロールに送り込む。長尺プライ供給ロールから供給された長尺プライを折板で折りながら重ね合わせることによって、長尺の衛生用紙束を形成することができる。
【００４３】
このようにして得られた長尺の衛生用紙束は、丸刃又はバンドソーを備えたカッターにより適当な長さに裁断することにより、本発明の衛生用紙束を得ることができる。本発明の衛生用紙束は、カートンに収納し、或いはフィルムに封入する形で包装し、製品化することが一般的である。
【実施例】
【００４４】
本発明の衛生用紙束について、実施例により更に具体的に説明する。但し、本発明は、その発明特定事項を備えた衛生用紙束を全て包含するものであり、以下の実施例に限定されるものではない。
【００４５】
（実施例１）
実施例１の衛生用紙束を、図１Ａ〜図１Ｃを参照しながら説明する。実施例１の衛生用紙束は、図１Ｂ及び図１Ｃに示すように、２枚の原紙２ａ，２ｂが積層されて１組のプライ４が構成されたものである。このプライは通常のティシュペーパーのサイズに構成されている（縦１９７ｍｍ×横２２９ｍｍ）。そして、「原紙」としては、坪量１１．５ｇ／ｍ２に抄紙されたティシュペーパー原紙を用いている。
【００４６】
図１Ａでは、図面作成の便宜上、展開された６組のプライ４のみを示したが、実際には２００組のプライが折り畳まれた状態で積層されている。この衛生用紙束１Ａは、全てのプライ４にエンボス加工８が施され、そのエンボス加工８によって、数字からなるマーク１０が付されている。この数字はプライの積層順に対応する１〜２００までの連続数字であり、ティシュペーパーのプライの取り出し数に対応するように構成されている。
【００４７】
一方、数字の下地部分はプライボンディングのためにエッジエンボスが施されている。このエッジエンボスとしては、概ね０．４ｍｍ角の菱型模様を、プライの両側縁に沿って、６ｍｍ幅で形成した。エンボス加工の種類としては、ピン・トゥー・フラットエンボスを用いた。そしてこのエンボス加工は、プライを構成する２枚の原紙２ａ，２ｂを積層した状態で施した。衛生用紙束の形成は、折り板式加工機を用いて行った。
【００４８】
（実施例２）
実施例２の衛生用紙束を、図２を参照しながら説明する。実施例２の衛生用紙束は、図１Ａの衛生用紙束１Ａと同様の構成において、情報となる数字の付し方のみを変更したものである。
【００４９】
図２では、図面作成の便宜上、展開された６組のプライ４のみを示したが、実際には２００組のプライが折り畳まれた状態で積層されている。この衛生用紙束１Ｂは、５組のプライ４ごとに取り出し数を示す数字がマーク１０として付されており、その間４組のプライ４にはマークが付されていない例である。
【００５０】
（実施例３）
実施例３の衛生用紙束を、図３を参照しながら説明する。実施例３の衛生用紙束は、２００組のプライが、５０組ずつ４つのブロック１２ａ〜１２ｄに区分されており、ブロック１２ａ〜１２ｃに属するプライ４に、種類の異なるマーク１０ｉ〜１０ｋを付した例である。
【００５１】
図３では、図面作成の便宜上、展開された４組のプライ４のみを示したが、実際には各ブロック１２ａ〜１２ｃのプライ４には、ブロックごとに全て同じマーク１０ｉ〜１０ｋが付されている（ブロック１２ｄはエッジエンボスのみ）。
【００５２】
マーク１０の下地部分はプライボンディングのためにエッジエンボスが施されている。このエッジエンボスとしては、概ね０．４ｍｍ角の菱型模様を、プライの両側縁に沿って、６ｍｍ幅で形成した。エンボス加工の種類としては、ピン・トゥー・フラットエンボスを用いた。そしてこのエンボス加工は、プライを構成する２枚の原紙を積層した状態で施した。衛生用紙束の形成は、折り板式加工機を用いて行った。
【００５３】
ブロック１２ａ〜１２ｃに属するプライ４には、いずれも径１．４ｍｍの円形エンボスを直線的に連続配置したマーク１０ｉ〜１０ｋを形成した。マーク１０ｉは、前記ラインが２．３ｍｍ間隔で３本配置されている。マーク１０ｊは、前記ラインが４．６ｍｍ間隔で２本配置されている。マーク１０ｋは、前記ラインがエッジエンボスの中央に１本のみ配置されている。
【００５４】
（実施例４）
実施例４の衛生用紙束を、図４を参照しながら説明する。実施例４の衛生用紙束は、図３の衛生用紙束１Ｃと同様の構成において、マークの形態のみを変更したものである。
【００５５】
ブロック１２ｅ〜１２ｇに属するプライ４には、いずれも径１．５ｍｍの円形エンボスを三角形状に集合配置したマーク１０ｌ〜１０ｎを、エッジエンボス上に断続的に形成した。マーク１０ｌは、６個の円形エンボスを三角形に配したものであり、このマークが７ｍｍ間隔でエッジエンボス上に配置されている。マーク１０ｍは３個の円形エンボスを三角形状に配したものであり、このマークが７ｍｍ間隔でエッジエンボス上に配置されている。マーク１０ｎは１個の円形エンボスのみを配したものであり、このマークが７ｍｍ間隔でエッジエンボス上に配置されている。
【産業上の利用可能性】
【００５６】
本発明の衛生用紙束は、家庭用衛生用紙、特にティシュペーパーに好適に用いることができる。
【図面の簡単な説明】
【００５７】
【図１Ａ】本発明の衛生用紙束の一の実施形態を示す図であり、展開した衛生用紙束を積層して上方から見た状態を示す模式図である。
【図１Ｂ】本発明の衛生用紙束を構成するプライの一の実施形態を示す図であり、プライを上方から見た状態を示す模式図である。
【図１Ｃ】図１Ｂに示すプライのＡ−Ａ’断面を示す模式図である。
【図２】本発明の衛生用紙束の別の実施形態を示す図であり、展開した衛生用紙束を積層して上方から見た状態を示す模式図である。
【図３】本発明の衛生用紙束の更に別の実施形態を示す図であり、展開した衛生用紙束を積層して上方から見た状態を示す模式図である。
【図４】本発明の衛生用紙束の更にまた別の実施形態を示す図であり、展開した衛生用紙束を積層して上方から見た状態を示す模式図である。
【符号の説明】
【００５８】
１Ａ，１Ｂ，１Ｃ，１Ｄ：衛生用紙束、２ａ，２ｂ：原紙、４：プライ、８：エンボス加工、１０，１０ａ，１０ｂ，１０ｃ，１０ｄ，１０ｅ，１０ｆ，１０ｇ，１０ｈ，１０ｉ，１０ｊ，１０ｋ，１０ｌ，１０ｍ，１０ｎ：マーク、１２，１２ａ，１２ｂ，１２ｃ，１２ｄ，１２ｅ，１２ｆ，１２ｇ，１２ｈ：ブロック。
【図１Ａ】
2009226031.tif 000003
【図１Ｂ】
2009226031.tif 000004
【図１Ｃ】
2009226031.tif 000005
【図２】
2009226031.tif 000006
【図３】
2009226031.tif 000007
【図４】
2009226031.tif 000008